(57)【要約】【課題】無線通信による機器探索に於いて、相手機器若しくは目的の機器を発見できない場合に、その状態を迅速に回避して、所望の通信環境を効率よく整えることができる電子機器を提供することを課題とする。【解決手段】ＣＰＵ２１は、無線通信制御プログラム２０１の処理に於いて、デバイス探索の結果、通信相手となるデバイスが発見できないとき、ＬＣＤ１３の表示画面上に、通信相手デバイスを探索可能な状態に設定するようユーザに促すメッセージ１０１を出力する。【選択図】    図１
2005244606.tif 000002
【特許請求の範囲】
【請求項１】
無線通信によりデータ伝送を行う相手機器を無線通信により探索する探索手段と、
前記探索手段で前記相手機器を探索できないとき、前記相手機器を探索可能な状態に設定するよう促すメッセージを出力する出力手段と
を具備したことを特徴とする電子機器。
【請求項２】
前記探索手段は、当該探索に対して探索が可能な状態と探索が可能でない状態とを設定できる相手機器を探索する請求項１記載の電子機器。
【請求項３】
前記探索手段は、所定の通信エリア内に存在する機器に対して前記探索を１回行い、前記出力手段は、前記探索手段がその１回の探索で相手機器を探索できないとき、前記相手機器を探索可能な状態に設定するよう促すメッセージを表示する請求項２記載の電子機器。
【請求項４】
前記メッセージには、確認ボタンを含み、前記探索手段は、前記確認ボタンが操作されたとき、前記探索を再度行う手段を具備する請求項３記載の電子機器。
【請求項５】
表示手段と、
無線通信によりデータ伝送を行う相手機器を無線通信により探索する探索手段と、
前記探索手段による探索結果の情報を前記表示手段に表示する表示処理手段と、
前記探索結果の表示に基づく所定の操作に従い前記探索手段に再度の探索を指示する再探索指示手段と、
前記再探索指示手段により再度の探索が指示されたとき、前記相手機器を探索可能な状態に設定するよう促すメッセージを出力する出力手段と
を具備したことを特徴とする電子機器。
【請求項６】
前記表示処理手段は、前記探索結果の情報と、前記探索手段に再度の探索を指示する再探索指示ボタンとを前記表示手段に表示し、前記再探索指示手段は前記再探索指示ボタンが操作されたとき、前記探索手段に再度の探索を指示する請求項５記載の電子機器。
【請求項７】
前記出力手段は、前記メッセージを前記表示手段に出力する請求項５記載の電子機器。
【請求項８】
所定の無線通信エリア内に存在する通信相手となる機器を対象に無線通信により機器を探索するステップと、
前記探索で前記機器を発見できないとき、前記機器の状態を前記探索で発見できるように設定する操作を促すメッセージを出力するステップと
を具備したことを特徴とする通信機器の探索処理方法。
【請求項９】
所定の無線通信エリア内に存在する通信相手となる機器を対象に無線通信により機器を探索するステップと、
前記探索した結果の情報を表示するステップと、
前記探索結果の情報を表示した後に前記探索を再度実行する指示を受け付けるステップと、
前記探索を再度実行する指示を受け付けたとき、前記機器の状態を前記探索で発見できるように設定する操作を促すメッセージを出力するステップと
を具備したことを特徴とする通信機器の探索処理方法。
【発明の詳細な説明】
【技術分野】
【０００１】
本発明は、無線通信機能をもつ電子機器および通信機器の探索処理方法に関する。
【背景技術】
【０００２】
携帯型電子機器に適用される近距離無線通信のインタフェース規格として、例えばＢｌｕｅｔｏｏｔｈＴＭが存在する。この通信インタフェースでは、所定の無線通信エリア内に存在する複数のデバイスの中から通信相手となる目的のデバイスを選択するための操作を必要とする。その際、目的のデバイスを選択するために、デバイスを独自に識別可能なデバイスアドレス（ＭＡＣアドレス）を直接入力することもできるが、６バイトのアドレスを入力することは煩わしいので、通常は、通信が可能なエリア内に存在するデバイスを問い合わせにより探索し、その探索した結果のアドレスまたはデバイス名のリストを表示して、その中から目的のデバイスを選択するのが一般的である。
【０００３】
ところで、デバイスの探索に於いて、デバイスを発見するには、目的のデバイスの電源がオンされていることは勿論であるが、デバイスの種類や設定により、常時探索が可能である場合と、常時探索が可能でない場合とがあり、常時探索が可能でない場合（例えばディスカバラビリティモードをオフに設定している場合）は、使用者がデバイス毎に決まった手順であらかじめ探索可能モード（例えばディスカバラビリティモードをオン）に設定する必要がある。さらに、上記した電源のオン／オフ状態、被探索可能／不可能状態以外に、例えば電波障害物の介在、送受信電波の強度変化等によって探索が可能な状態と探索が可能でない状態とに変化する場合もあり得る。このような機器の設定または通信環境等から、デバイスの探索に於いて、複数回の探索を繰り返しても目的のデバイスを発見できない場合がある。
【０００４】
このような状態を回避するためのユーザへの通知手段として、従来では、所定のガイドメッセージを常に事前に表示する機能がある。しかしながら、定常的に事前にメッセージを表示する技術は、使い勝手の上から操作の煩わしさを増長する。
【非特許文献１】ＣＤ−ＲＯＭ「“Microsoft(R) InttelliType Pro for Bluetooth(TM) 2.3 Keyboard Software”,“Microsoft(R) InttelliPoint for Bluetooth(TM) 4.9.Mouse Software”,(C)&(P) 1994-2002 Microsoft Corporation. All rights reserved. 0702 Part No.X09-00488（表面に印刷）．Ｘ０９−４９３３５（エンベロブに印刷）」
【発明の開示】
【発明が解決しようとする課題】
【０００５】
上述したように、従来では所定の無線通信エリア内に存在する通信相手となる機器を対象に、無線通信により機器を探索する機能をもつ電子機器に於いて、デバイス若しくは目的のデバイスを発見できない場合に、その状態を迅速に回避するための操作性に優れた手段が存在しないという問題があった。
【０００６】
本発明は、無線通信による機器探索に於いて、相手機器若しくは目的の機器を発見できない場合に、その状態を迅速に回避して、かつユーザインタフェースを簡素にして使い勝手を向上できる電子機器および通信機器の探索処理方法を提供することを目的とする。
【課題を解決するための手段】
【０００７】
本発明は、上記目的を達成するために、請求項１に係る発明では、無線通信によりデータ伝送を行う相手機器を無線通信により探索する探索手段と、前記探索手段で前記相手機器を探索できないとき、前記相手機器を探索可能な状態に設定するよう促すメッセージを出力する出力手段とを具備した電子機器を特徴とする。
【０００８】
また、上記目的を達成するために、請求項５に係る発明では、表示手段と、無線通信によりデータ伝送を行う相手機器を無線通信により探索する探索手段と、前記探索手段による探索結果の情報を前記表示手段に表示する表示処理手段と、前記探索結果の表示に基づく所定の操作に従い前記探索手段に再度の探索を指示する再探索指示手段と、前記再探索指示手段により再度の探索が指示されたとき、前記相手機器を探索可能な状態に設定するよう促すメッセージを出力する出力手段とを具備した電子機器を特徴とする。
【０００９】
また、上記目的を達成するために、請求項８に係る発明では、所定の無線通信エリア内に存在する通信相手となる機器を対象に無線通信により機器を探索するステップと、前記探索で前記機器を発見できないとき、前記機器の状態を前記探索で発見できるように設定する操作を促すメッセージを出力するステップとを具備した通信機器の探索処理方法を特徴とする。
【００１０】
また、上記目的を達成するために、請求項９に係る発明では、所定の無線通信エリア内に存在する通信相手となる機器を対象に無線通信により機器を探索するステップと、前記探索した結果の情報を表示するステップと、前記探索結果の情報を表示した後に前記探索を再度実行する指示を受け付けるステップと、前記探索を再度実行する指示を受け付けたとき、前記機器の状態を前記探索で発見できるように設定する操作を促すメッセージを出力するステップとを具備した通信機器の探索処理方法を特徴とする。
【発明の効果】
【００１１】
無線通信による機器探索に於いて、相手機器若しくは目的の機器を発見できない場合に、その状態を迅速に回避して、かつユーザインタフェースを簡素にして使い勝手を向上できる。
【発明を実施するための最良の形態】
【００１２】
本発明は、機器探索に於いて相手機器が発見できない際に、ユーザに、相手機器を発見できる状態にするよう促す報知機能をもつことで、相手機器が発見できない状態を迅速に回避して所望の通信環境を効率よく整えることのできるようにした。さらに必要に応じて上記報知が行われることから、ユーザインタフェースを簡素にして、操作性を向上させ、使い勝手のよいインタフェース機能を実現した。
【００１３】
以下図面を参照して本発明の実施形態を説明する。  
図１には本発明の一実施形態に係る装置の構成の一例が示されている。この装置は無線通信機能を有する情報処理装置である。以下では、本装置をノートブックタイプのパーソナルコンピュータとして実現した場合を想定している。
【００１４】
図１は本コンピュータ１のディスプレイユニットを開いた状態における正面図である。本コンピュータ１は、コンピュータ本体１１と、ディスプレイユニット１２とから構成されている。ディスプレイユニット１２は、コンピュータ本体１１に対して解放位置と閉塞位置との間を回動自在に取り付けられている。ディスプレイユニット１２には表示パネルを構成するＬＣＤ（Liquid Crystal Display）１３が組み込まれている。
【００１５】
ＬＣＤ１３の表示画面上には、無線通信機能を起動した際に、無線での問い合わせ（Inquiry）による機器探索で発見した機器の一覧（リモートデバイス一覧）が表示される。このリモートデバイス一覧は、現在のコンピュータ１の利用場所に於いて無線通信可能な機器（デバイス）をユーザに選択可能に提示するＧＵＩ（Graphical User Interface）であり、ユーザに通信（接続）相手を選択させるために用いられる（図５参照）。また、上記機器探索に於いて、通信相手となる機器が見つからないとき、ユーザに対して相手機器を探索可能な状態に設定する操作を促すメッセージ１０１が表示される。このメッセージ１０１を出力する処理の詳細については後述する。
【００１６】
コンピュータ本体１１は薄い箱形の筐体を有しており、その上面にはユーザが操作する入力手段としてポインティングデバイス１４、キーボード１５等が配置されている。さらに、コンピュータ本体１１には、近距離無線通信機能を実現するための無線通信デバイス１６、音声、報知音等を出力するサウンド出力部１７等が内蔵されている。
【００１７】
上記無線通信デバイス１６は、所定の無線通信エリア内に存在する通信相手となる機器を対象に、機器探索を行う機能を含んだ近距離無線通信を実行するデバイスであり、例えばＢｌｕｅｔｏｏｔｈＴＭなどの近距離無線通信の規格で規定された無線通信を実行するように設計されている。この無線通信デバイス１６の無線通信動作は、コンピュータ１内で実行される無線通信制御プログラム（図２の符号２０１参照）によって制御される。この無線通信制御プログラムの処理機能については図３、図４に示すフローチャートを参照して後述する。サウンド出力部１７は音声メッセージ、報知音、音楽再生等のサウンドを例えばスピーカ、ヘッドホン等に出力する。例えば相手機器を探索可能な状態に設定する操作を促す音声メッセージを上記ＬＣＤ１３の表示画面上に表示されるメッセージ１０１に代え、若しくは上記メッセージ１０１と同時に出力する。または相手機器を探索可能な状態に設定する操作を促す報知音を出力する。
【００１８】
図２には、本コンピュータ１のシステム構成が示されている。本コンピュータ１には、図示のように、ＣＰＵ２１、ノースブリッジ２２、主メモリ２３、表示コントローラ２４、サウスブリッジ２５、ハードディスクドライブ（ＨＤＤ）２６、および図１に示した無線通信デバイス１６、サウンド出力部１７などが内蔵されている。
【００１９】
ＣＰＵ２１は本コンピュータ１の動作を制御するために設けられたプロセッサであり、ハードディスクドライブ（ＨＤＤ）２６から主メモリ２３にロードされたオペレーティングシステム（ＯＳ）および各種アプリケーションプログラムを実行する。無線通信制御プログラム２０１もハードディスクドライブ（ＨＤＤ）２６から主メモリ２３にロードされ、ＣＰＵ２０１によって実行される。この際の無線通信制御プログラム２０１の処理手順については図３、図４を参照して後述する。
【００２０】
ノースブリッジ２２はＣＰＵ２１のローカルバスとＰＣＩバスとの間を双方向で接続するブリッジデバイスである。表示コントローラ２４は本コンピュータのディスプレイモニタとして使用されるＬＣＤ１３を制御する。サウスブリッジ２５はＰＣＩバスとＩＳＡバスとの間を双方向で接続するブリッジデバイスである。ＰＣＩバスには、上記したサウンド出力部１７などが接続され、ＩＳＡバスにはキーボード（ＫＢ）などが接続されている。
【００２１】
サウスブリッジ２５には、ＵＳＢ（Universal Serial Bus）コントローラも内蔵されている。ＵＳＢコントローラには無線通信デバイス１６が接続されている。無線通信デバイス１６はＵＳＢコントローラを介してＣＰＵ２１から入力されるコマンドに応じて、無線信号の送受信をアンテナ（ＡＮＴ）を介して実行する。
【００２２】
ハードディスクドライブ（ＨＤＤ）２６には、この実施形態の処理に係る情報として、上述した無線通信制御プログラム２０１の他に、当該プログラムによって管理される、上記図１に示した、ユーザに対して相手機器を探索可能な状態に設定する操作を促すメッセージ１０１のデータ、リモートデバイス一覧のテンプレート情報、音声メッセージ情報等が格納される。
【００２３】
上記ＣＰＵ２１により実行される、本発明の第１実施形態に係る無線通信制御プログラム２０１の処理手順を図３に示し、本発明の第２実施形態に係る同処理手順を図４に示している。また、上記第２実施形態に於ける、発見したデバイスの一覧画面の一構成例を図５に示している。
【００２４】
ここで、図３に示すフローチャートを参照して本発明の第１実施形態に於ける処理動作を説明する。この第１実施形態は、通信相手デバイスの探索に於いて、通信相手となるデバイスが発見できないとき（１つも見つからないとき）、通信相手デバイスを探索可能な状態に設定するよう促すメッセージ１０１を出力する。
【００２５】
この処理では、先ずデバイス探索を行い（ステップＳＴ１１）、探索の結果、通信相手となるデバイスが発見できたとき（ステップＳＴ１２  Ｎｏ）、その発見したデバイス一覧をデバイス単位で選択可能にＬＣＤ１３の表示画面上に一覧表示して（ステップＳＴ１３）探索処理を終了する（図５参照）。
【００２６】
また、上記探索の結果、通信相手となるデバイスが発見できないとき（ステップＳＴ１２  Ｙｅｓ）、図１に示すように、ＬＣＤ１３の表示画面上に、通信相手デバイスを探索可能な状態に設定するようユーザに促すメッセージ１０１を出力する（ステップＳＴ１４）。このメッセージ１０１には、メッセージを確認した際に操作されるＯＫボタンが含まれる。上記メッセージ１０１をユーザが認識し、通信相手となるデバイスを通信可能な状態に設定して後、上記ＯＫボタンをクリック操作することにより（ステップＳＴ１５  Ｙｅｓ）、再度デバイス探索が実行される（ステップＳＴ１１）。尚、この実施形態の処理では、通信相手となるデバイスが発見できないとき（ステップＳＴ１２  Ｙｅｓ）、通信相手デバイスを探索可能な状態に設定するようユーザに促すメッセージ１０１をＬＣＤ１３の表示画面上に出力（ステップＳＴ１４）しているが、この際、上記メッセージ１０１の表示とともに、音声メッセージをサウンド出力部１７から出力することも可能である。または上記メッセージ１０１の表示に代えて、同内容の音声メッセージをサウンド出力部１７から出力することも可能である。または上記メッセージ１０１の表示に代えて、予め定めたチャイム音をサウンド出力部１７から出力することも可能である。
【００２７】
このようなデバイス探索の処理ルーチンにより、ユーザインタフェースの操作を簡素にして目的のデバイスを迅速かつ的確に発見することのできる使い勝手のよい通信手段が実現できる。即ち、デバイス探索を行い、その結果としてデバイスが発見できなかった場合にのみ、通信相手デバイスを探索可能な状態に設定するようユーザに促すメッセージ１０１を表示し、そのメッセージに従ってユーザが目的のデバイスを電源オン状態または被探索可能モードに設定した後、再度デバイス探索することで、目的のデバイスを迅速かつ的確に発見することができる。本処理によれば、例えば目的のデバイスが常時被探索可能モードでないデバイスの場合であっても、ユーザがそのことを正しく認識していて、予め被探索可能モードに設定している場合や、目的のデバイスが常時被探索可能モードの場合には、最初のデバイス探索で目的のデバイスを発見できる可能性が非常に高く、この場合には、結果として無駄なガイドメッセージにその都度応答する必要がなく、従ってユーザ操作を簡素化できる。また、デバイスを発見できなかった場合には、目的のデバイスが例えば探索可能モードになっていない状況が考えられ、この状況では、ユーザが複数回のデバイス探索を繰り返しても、その結果は同様であり、発見できない状態が続くことになってしまう。本処理では、デバイスを発見できなかった場合は、目的のデバイスが被探索可能モードになっていない可能性が高いと判断して上記メッセージ１０１を表示することで、何度探索しても目的のデバイスが発見できないという状況に陥ることを防ぐことができ、迅速かつ的確な対応で目的デバイスの発見並びにそれに伴う迅速な通信環境の設定が可能になる。
【００２８】
この際の目的デバイスに於ける探索不可能モード／探索可能モード設定画面の一構成例を図６に示している。目的デバイス側に於いて、当該デバイスを外部から探索できないモードに設定する際は、図６に示す設定画面６０上で、探索不可能モード（Non-discoverable mode）をラジオボタン６１のクリック操作により選択する。これにより、当該デバイスは外部からの探索に対して応答しない処理状態に設定される。また、例えば上記図１に示すメッセージ１０１をユーザが認識して、上記目的デバイスを外部から探索できるモードに設定する際は、図６に示す設定画面６０上で、探索可能モード（General discoverable mode）をラジオボタン６２のクリック操作により選択する。これにより、当該デバイスは外部からの探索に対して応答する処理状態に設定される。
【００２９】
次に図４に示すフローチャート及び図５に示す発見デバイス一覧画面を参照して本発明の第２実施形態に於ける処理動作を説明する。この第２実施形態は、通信相手デバイスの探索に於いて、ユーザが目的とするデバイスが発見できないとき（目的とするデバイスが発見デバイス一覧に存在しないとき）に、その目的とする通信相手デバイスを探索可能な状態に設定するよう促すメッセージ１０１を出力する。
【００３０】
この処理は、ＣＰＵ２１が主メモリ２３にデバイス探索の回数をカウントするカウンタを用意し、そのカウンタに「０」をセットして（ステップＳＴ２１）、デバイス探索を行い（ステップＳＴ２２  Ｎｏ、ＳＴ２５）、その発見したデバイス一覧をデバイス単位で選択可能にＬＣＤ１３の表示画面上に一覧表示する（ステップＳＴ２６）。ここではデバイス探索に伴い上記カウンタの値が「０」から「１」に更新される。この際のＬＣＤ１３の表示画面上に表示される発見デバイス一覧画面の一例を図５に示している。この一覧画面では、ＬＣＤ１３の表示画面上に、発見デバイス一覧画面１０２に、上記探索によって発見したデバイスのデバイス名（またはアドレス）がリモートデバイスとして表示されるとともに、再探索を指示する再探索指示ボタン１０３が表示される。
【００３１】
ここで、ユーザが上記発見デバイス一覧画面１０２上で発見デバイスを認識し、その一覧に目的とするデバイスが存在するときは、その発見デバイス一覧画面１０２上で目的とするデバイスを選択することで探索処理を終了する（ステップＳＴ２７  Ｎｏ）。また、上記発見デバイス一覧画面１０２上に、目的とするデバイスが存在しない場合、ユーザが上記再探索指示ボタン１０３をクリック操作して再探索を指示すると（ステップＳＴ２７  Ｙｅｓ）、上記カウンタの値から探索が既に行われたことを確認して（ステップＳＴ２２  Ｙｅｓ）、ＬＣＤ１３の表示画面上に、通信相手デバイスを探索可能な状態に設定するようユーザに促すメッセージ１０１を出力する（ステップＳＴ２３）。
【００３２】
上記メッセージ１０１をユーザが認識し、通信相手となる目的のデバイスを通信可能な状態に設定して後、ＯＫボタンをクリック操作することにより（ステップＳＴ２４  Ｙｅｓ）、再度デバイス探索が実行され（ステップＳＴ２５）、その再探索による発見デバイス一覧画面１０２がＬＣＤ１３の表示画面上に表示される（ステップＳＴ２６）。この発見デバイス一覧画面１０２上で目的とするデバイスを選択することで探索処理を終了する（ステップＳＴ２７  Ｎｏ）。尚、この第２実施形態の処理に於いても上述した第１実施形態と同様に、通信相手となる目的のデバイスが発見できないとき、通信相手デバイスを探索可能な状態に設定するようユーザに促すメッセージ１０１をＬＣＤ１３の表示画面上に出力している（ステップＳＴ２３）が、この際、上記メッセージ１０１の表示とともに、音声メッセージをサウンド出力部１７から出力することも可能である。または上記メッセージ１０１の表示に代えて、同内容の音声メッセージをサウンド出力部１７から出力することも可能である。または上記メッセージ１０１の表示に代えて、予め定めたチャイム音をサウンド出力部１７から出力することも可能である。
【００３３】
このように本発明の第２実施形態では、目的とするデバイスを除いた他のデバイスは発見されたが、目的とするデバイスを発見できなかった場合に、上記第１実施形態と同様の効果を得ることができる。即ち、デバイスを選択するために、デバイス探索を実施し、結果を表示した際に、探索結果として、１つのデバイスも見つかっていない場合もあれば、複数のデバイスが見つかっている場合もあり得る。このとき、目的とするデバイスが選択候補として表示されていない（発見されていない）場合には、オペレータが自ずとデバイスの再選択指示をするはずである。そこで本発明の第２実施形態では、ユーザが再探索を指示した際に、その再探索指示は目的のデバイスが探索できなかったからであり、その原因は目的のデバイスが探索可能モードになっていなかった（あるいは電源がオフ状態にある）からであろうと判断して、目的のデバイスを被探索可能モードに設定することを促すメッセージ１０１を表示する。このメッセージ１０１をユーザが認識して、上記目的デバイスを外部から探索できるモードに設定する際は、当該ユーザが上記図６に示す設定画面６０上で、探索可能モード（General discoverable mode）をラジオボタン６２のクリック操作により選択することで、当該デバイスが外部からの探索に対して応答する処理状態に設定される。これにより、デバイス探索結果は得られたが、その中に目的のデバイスが存在しない場合に、ユーザが複数回に亘りデバイス探索を繰り返しても、目的とするデバイスを発見できない状況に陥る不具合を回避して、迅速かつ的確な対応で目的デバイスの発見並びにそれに伴う迅速な通信環境の設定が可能になる。
【００３４】
尚、本発明は上記第１、第２実施形態に限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、上述した第１実施形態と第２実施形態とを組合せ、第２実施形態に於いて、初回のデバイス探索で通信相手となるデバイスが発見できないとき（１つも見つからないとき）、通信相手デバイスを探索可能な状態に設定するよう促すメッセージ１０１を出力することも可能である。また、上記した各実施形態に於けるユーザインタフェース画面構成、機器構成要素等も本発明を実施する機器、機能等に応じて適宜変更可能である。
【図面の簡単な説明】
【００３５】
【図１】本発明の第１、第２実施形態に係る電子機器の外観構成並びにメッセージ表示例を示す斜視図。
【図２】上記実施形態に係る電子機器の内部構成を示すブロック図。
【図３】本発明の第１実施形態に係る処理ルーチンを示すフローチャート。
【図４】本発明の第２実施形態に係る処理ルーチンを示すフローチャート。
【図５】本発明の第２実施形態に係るユーザインタフェース画面の一構成例を示す図。
【図６】本発明の各実施形態に係る探索相手となる目的デバイス側の探索不可能モード／探索可能モード設定画面の一構成例を示す図。
【符号の説明】
【００３６】
１１…コンピュータ本体、１２…ディスプレイユニット、１３ＬＣＤ（Liquid Crystal Display）、１４…ポインティングデバイス、１５…キーボード、１６…無線通信デバイス、１７…サウンド出力部、２１…ＣＰＵ、２２…ノースブリッジ、２３…主メモリ、２４…表示コントローラ、２５…サウスブリッジ、２６…ハードディスクドライブ（ＨＤＤ）、１０１…メッセージ、１０２…発見デバイス一覧画面、１０３…再探索指示ボタン、２０１…無線通信制御プログラム。
【図１】
2005244606.tif 000003
【図２】
2005244606.tif 000004
【図３】
2005244606.tif 000005
【図４】
2005244606.tif 000006
【図５】
2005244606.tif 000007
【図６】
2005244606.tif 000008